(57)【要約】      （修正有）【課題】所定の開状態になると付勢力が働かずにそのまま維持し、簡単な操作により付勢力を始めて働かして閉状態にさせられるクリップを提供する。【解決手段】その一端側の第１挟持体１１と第２挟持体１２との間の連結端部１３には、回動の中心となる枢芯１３１と、その一端が固持されていて弾性付勢を与えるばね１３２とを有し、該ばねは、第１挟持体と第２挟持体とが互いに当接して物を挟持する第１の位置にある場合、正常の姿勢にあって付勢力がなく、第１の位置から前記枢芯を中心に回動して互いに遠ざかると、まずは引っ張られて伸長し、付勢力が段段大きくなる上、その一端と他端とが枢芯を中心に対称的になる第２の位置に到達するとその伸長度及び付勢力がもっとも大きくなり、第２の位置を超えた所の第３の位置にある場合、直ぐ縮んで正常の付勢力のない姿勢に戻るように配置される。【選択図】図２
0003136857.tif 000002
【実用新案登録請求の範囲】
【請求項１】
第１挟持体と第２挟持体とが、それらの一端部で弾性的に連結する上、該連結端部の弾性付勢により回動し、他端部の方が互いに近接して物を挟持することができるように構成されているクリップにおいて、
該連結端部には、前記回動の中心となる枢芯と、その一端が前記第１挟持体に他端が前記第２挟持体にそれぞれ固持されていて前記弾性付勢を与えるばねとを有し、
該ばねは、
前記第１挟持体と第２挟持体とがそれらの他端部の方で互いに当接して物を挟持する第１の位置にある場合、正常の姿勢にあって付勢力がなく、
前記第１挟持体と第２挟持体とが前記第１の位置から前記枢芯を中心に回動してそれらの他端部の方が互いに遠ざかると、まずは引っ張られて伸長し、付勢力が段段大きくなる上、その一端と他端とが前記枢芯を中心に対称的になる第２の位置に到達するとその伸長度及び付勢力がもっとも大きくなり、
前記第２の位置を超えた所の第３の位置にある場合、直ぐ縮んで正常の付勢力のない姿勢に戻るように配置構成されていることを特徴とするクリップ。
【請求項２】
頭髪を前記物として挟持するためのヘアクリップとして、
前記第１挟持体と第２挟持体とは、前記第１の位置にある場合でも、それらの連結端部に近いところが互いに遠ざかっていてその間が頭髪を収納する空間となるように配置構成されていることを特徴とする請求項１に記載のクリップ。
【請求項３】
前記第１挟持体の前記連結端部に近い所がカーブ部となって突出しており、
前記第２挟持体の物を挟持する挟持面の前記連結端部近くに一対の突台が並立しており、
前記枢芯は前記一対の突台の端部近くの間に設置されており、
前記ばねは、Ｗ字形になっている板ばねであり、
該Ｗ字形の板ばねは、その３突端縁を有する側が前記連結端部の方に向かう上、３突端縁の両側の２突端縁がそれぞれ前記一端及び他端とし、前者が第１挟持体のカーブ部に、後者が前記一対の突台の根元近くの間に固持されていることを特徴とする請求項２に記載のクリップ。
【請求項４】
第１挟持体と第２挟持体とが、それらの一端部で弾性的に連結する上、該連結端部の弾性付勢により回動し、他端部の方が互いに近接して頭髪を挟持することができるように構成されているヘアクリップにおいて、
該連結端部には、前記回動の中心となる枢芯と、その一端が前記第１挟持体に他端が前記第２挟持体にそれぞれ固持されていて前記弾性付勢を与えるばねとを有し、
前記第１挟持体と第２挟持体とは、他端部の方が互いに近接して物を挟持する場合でも、それらの連結端部に近いところが互いに遠ざかっていてその間が頭髪を収納する空間となるように配置構成されており、
前記第１挟持体の前記連結端部に近い所がカーブ部となって突出しており、
前記第２挟持体の物を挟持する挟持面の前記連結端部近くに一対の突台が並立しており、
前記枢芯は前記一対の突台の端部近くの間に設置されており、
前記ばねは、Ｗ字形になっている板ばねである上、該Ｗ字形の板ばねは、その３突端縁を有する側が前記連結端部の方に向かう上、３突端縁の両側の２突端縁がそれぞれ前記一端及び他端とし、前者が第１挟持体のカーブ部に、後者が前記一対の突台の根元近くの間に固持されていることを特徴とするヘアクリップ。
【請求項５】
前記第１挟持体の物を挟持する挟持面の反面には、飾り物が設けられていることを特徴とする請求項４に記載のヘアクリップ。
【考案の詳細な説明】
【技術分野】
【０００１】
本考案は、物を挟持するクリップに関し、特に、髪飾りとして使用できるヘアクリップに関する。
【背景技術】
【０００２】
従来、ヘアクリップとして、図５に示すように、ばね鋼による線材を、第１挟持体５１と第２挟持体５２とが、それらの一端部で弾性的に連結する上、該連結端部５３の弾性付勢により回動し、他端部の方が互いに近接して物を挟持することができるピン状に折り曲げてなった線型が使用されている。このような線型ヘアクリップは、クリップの機能があるが、飾りの効果が良くないので、最近使用する人が少なくなっている。
【０００３】
その代わりに、図６に示す板型が広く愛用されている。図示のように、板型のヘアクリップは、前記従来の線型と同様に、第１挟持体６１と第２挟持体６２とが、それらの一端部で弾性的に連結する上、該連結端部６３の弾性付勢により回動し、他端部の方が互いに近接して物を挟持することができるように構成されており、ただ第１挟持体６１と第２挟持体６２とは線型のような一体的なものではないので、その連結端部６３の弾性付勢は、挟持体の構成材料自体の弾性ではなく、他に枢芯６３１とばね６３２とからなった弾性機構によるのである。このような板型ヘアクリップで髪を挟む時、外に露出する第１挟持体６１は、板形であるので、飾りの効果が従来の線型より遥かに大きい。
【０００４】
しかしながら、この板型のものであっても、前記線型のものであっても、使用がかなり不便である。それは、この両種のヘアクリップは、すべて連結端部（６３または５３）の弾性付勢によって常時閉にあるのであって、使用しようとする時、手ないし片手の指で、前記付勢力に対抗してその他端側の第１挟持体（６１または５１）と第２挟持体（６２または５２）とを離間させる必要があるばかりでなく、髪を整理しながらヘアクリップの姿勢・位置を調整している全過程中においても、指に前記同様な力を入れて第１挟持体と第２挟持体とを開状態に保持しなければならなく、不意に前記付勢力によって跳ね返って、地に落ちたり指に傷を付けたりすることも時々あるからである。
【考案の開示】
【考案が解決しようとする課題】
【０００５】
前記に鑑みて、本考案は、一旦所定の開状態になると付勢力が働かずにそのまま維持し、必要がある場合に限り、簡単な操作により付勢力を始めて働かして閉状態にさせられるクリップ、特にヘアクリップとしての使用に便利で好適なクリップを提供しようとすることを目的とする。
【課題を解決するための手段】
【０００６】
前記目的を達成するために、本考案は、第１挟持体と第２挟持体とが、それらの一端部で弾性的に連結する上、該連結端部の弾性付勢により回動し、他端部の方が互いに近接して物を挟持することができるように構成されているクリップにおいて、該連結端部には、前記回動の中心となる枢芯と、その一端が前記第１挟持体に他端が前記第２挟持体にそれぞれ固持されていて前記弾性付勢を与えるばねとを有し、該ばねは、前記第１挟持体と第２挟持体とがそれらの他端部の方で互いに当接して物を挟持する第１の位置にある場合、正常の姿勢にあって付勢力がなく、前記第１挟持体と第２挟持体とが前記第１の位置から前記枢芯を中心に回動してそれらの他端部の方が互いに遠ざかると、まずは引っ張られて伸長し、付勢力が段段大きくなる上、その一端と他端とが前記枢芯を中心に対称的になる第２の位置に到達するとその伸長度及び付勢力がもっとも大きくなり、前記第２の位置を超えた所の第３の位置にある場合、直ぐ縮んで正常の付勢力のない姿勢に戻るように配置構成されているクリップを提供する。
【０００７】
前記ばねの実施例として、板ばねが挙げられるが、板ばねを使用する場合の実施形態として、まず前記第１挟持体と第２挟持体とは、前記第１の位置にある場合でも、それらの連結端部に近いところが互いに遠ざかっていてその間が頭髪を収納する空間となった配置構成が挙げられる。
【０００８】
前記配置構成として、さらに、その例は、前記第１挟持体の前記連結端部に近い所がカーブ部となって突出しており、前記第２挟持体の物を挟持する挟持面の前記連結端部近くに一対の突台が並立しており、前記枢芯は前記一対の突台の端部近くの間に設置されており、前記ばねは、Ｗ字形になっている板ばねであり、また、該Ｗ字形の板ばねは、その３突端縁を有する側が前記連結端部の方に向かう上、３突端縁の両側の２突端縁がそれぞれ前記一端及び他端とし、前者が第１挟持体のカーブ部に、後者が前記一対の突台の根元近くの間に固持されているものが挙げられる。
【０００９】
前記板ばねの代わりに、捻りばねもコイルばねも使用されることができ、ただばねの仕組みに応じて、前記第１挟持体と第２挟持体とがそれらの他端部の方で互いに当接して物を挟持する第１の位置にある場合、正常の姿勢にあって付勢力がなく、前記第１挟持体と第２挟持体とが前記第１の位置から前記枢芯を中心に回動してそれらの他端部の方が互いに遠ざかると、まずは引っ張られて伸長し、付勢力が段段大きくなる上、その一端と他端とが前記枢芯を中心に対称的になる第２の位置に到達するとその伸長度及び付勢力がもっとも大きくなり、前記第２の位置を超えた所の第３の位置にある場合、直ぐ縮んで正常の付勢力のない姿勢に戻るように配置構成されれば良い。
【考案の効果】
【００１０】
前記構成によるクリップは、前記第２の位置を超えた所の第３の位置にある所定の開状態になると、閉への回復力がなくなって開状態のままに維持できるので、それを使用する時、特に挟持しようとする物を整理しながらクリップの姿勢・位置を調整している過程中においていつも手の指に力を入れてばねの付勢回復力と対抗して第１挟持体と第２挟持体とを開状態に保持する必要がなく、使用、特にヘアクリップとしての使用に便利である。
【考案を実施するための最良の形態】
【００１１】
以下、添付図面を参照して本考案の好適な実施の形態を詳細に説明する。なお、図中、似ている部品には、同一の参照符号を付する。
【００１２】
図１〜図３を参照しながら本考案のクリップの実施形態例であるヘアクリップを説明する。図１に示すのは、本実施形態例のヘアクリップの斜視図である。図２は本実施形態例のヘアクリップの側面図であり、実線に示すのは閉状態である。図３は本実施形態例のヘアクリップの側面図であり、実線に示すのは開状態である。
【００１３】
まず、図１を参照するように、本実施形態例のヘアクリップは、主としてほぼ板形の第１挟持体１１と第２挟持体１２とから上下面対面になっている。そのうち、第１挟持体１１は上にあり、第２挟持体１２は下にあって第１挟持体１１よりずっと長い上、略Ｕ字形になっている。この第１挟持体１１と第２挟持体１２とは、それらの一端部で弾性的に連結する上、該連結端部１３の弾性付勢により回動し、他端部の方が互いに近接して頭髪を挟持することができるように構成されている。
【００１４】
図２をも参照すると、該連結端部１３には、前記回動の中心となる枢芯１３１と、その一端１３２Ａが第１挟持体１１に他端１３２Ｂが第２挟持体１２にそれぞれ固持されていて前記弾性付勢を与えるばね１３２とを有し、また、第１挟持体１１と第２挟持体１２とは、他端部の方が互いに近接して頭髪を挟持する場合でも、それらの連結端部１３に近いところが互いに遠ざかっていてその間が頭髪を収納する空間１４となるように配置構成されている。即ち、第１挟持体１１及び第２挟持体１２それぞれの連結端部１３に近い所が外に突出するカーブ部となっている。それに、第２挟持体１２の頭髪を挟持する挟持面１２１の連結端部１３近くに一対の突台１５、１５が並立しており、枢芯１３１は一対の突台１５、１５の端部１５１近くの間に設置される。
【００１５】
やはり、図２を参照するように、ばね１３２は、Ｗ字形になっている板ばねである上、該Ｗ字形の板ばねは、その３突端縁を有する側が連結端部１３の方に向かう上、３突端縁の両側の２突端縁がそれぞれ前記一端１３２Ａ及び他端１３２Ｂとし、前者が第１挟持体１１のカーブ部に、後者が前記一対の突台の根元１５２近くの間に固持されている。
【００１６】
その構成関係をもっと詳しく説明すると、ばね１３２は、第１挟持体１１と第２挟持体１２とがそれらの他端部の方で互いに当接して頭髪を挟持する第１の位置（図２参照）にある場合、正常の姿勢にあって付勢力がなく、第１挟持体１１と第２挟持体１２とが前記第１の位置から枢芯１３１を中心に回動してそれらの他端部の方が互いに遠ざかると、まずは引っ張られて伸長し、付勢力が段段大きくなる上、その一端１３２Ａと他端１３２Ｂとが前記枢芯１３１を中心に対称的になる第２の位置（仮想線に示す）に到達するとその伸長度及び付勢力がもっとも大きくなり、前記第２の位置を超えた所の第３の位置（図３参照）にある場合、直ぐ縮んで正常の付勢力のない姿勢に戻るように配置構成されている。
【００１７】
なお、図２と図３とを同時に参照すると、このヘアクリップは、連結端部１３の弾性付勢によって常時閉にある。このヘアクリップを使用しようとする時、第１挟持体１１を図２に示す矢印方向に第２挟持体１２と遠ざかるように３０°程度に押すと、ばね１３２は第２の位置に移動される上、その伸長度及び付勢力がもっとも大きい姿勢になる。また、その後に続いて第１挟持体１１を第２の位置を乗り越えて更に４５°程度に押すと、ばね１３２は第３の位置に移動される上、第１の位置と同じ正常の姿勢になり、即ち、ヘアクリップは所定の開状態になるばかりでなく、ばね１３２の付勢による閉への回復力もなくなるので、この開状態はそのまま維持することができる。それがために、使用者は、ゆっくりと頭髪を整理したりヘアクリップの位置・姿勢を調整したりすることができる。
【００１８】
そして、頭髪を整理した後、第１挟持体１１を図３に示す矢印方向に軽く第２挟持体１１の方へ第２の位置を越えるように押せば、ばね１３２の付勢による閉への回復力が忽ち回復し、ヘアクリップは簡単に閉状態に戻させられて頭髪を丈夫に挟持する。
【００１９】
そして、図４を参照すると、本考案の前記実施形態例のヘアクリップにおける第１挟持体１１の頭髪を挟持する挟持面の反面１１２には、他の例えば花模様の飾り物２が設けられれば、飾りの効果がもっと良くなることが分かる。
【００２０】
本考案は、その精神及び必須の特徴事項から逸脱することなく他のやり方で実施することができる。従って、本明細書に記載した好ましい実施形態は例示的なものであり、限定的なものではない。
【産業上の利用可能性】
【００２１】
如上のように、本考案のクリップは、一旦所定の開状態になると付勢力が働かずに閉への回復力がなくなって開状態のままに維持できるので、それを使用する時、特に挟持しようとする物を整理しながらクリップの姿勢・位置を調整している過程中においていつも手の指に力を入れてばねの付勢回復力と対抗して第１挟持体と第２挟持体とを開状態に保持する必要がなく、物の整理済みまたは他の必要がある場合に限り、簡単な操作により付勢力を始めて働かして閉状態にさせられ、使用、特にヘアクリップとしての使用に便利である。
【図面の簡単な説明】
【００２２】
【図１】本考案の実施形態例のヘアクリップの斜視図である。
【図２】前記実施形態例のヘアクリップが第１の位置にある場合の側面図である。
【図３】前記実施形態例のヘアクリップが第３の位置にある場合の側面図である。
【図４】花模様の飾り物がついている前記実施形態例のヘアクリップの使用時の斜視図である。
【図５】従来例の線型ヘアクリップの斜視図である。
【図６】従来例の板型ヘアクリップの斜視図である。
【符号の説明】
【００２３】
２          飾り物
１１        第１挟持体
１２        第２挟持体
１３        連結端部
１４        空間
１５        突台
１１２      反面
１２１      挟持面
１３１      枢芯
１３２      ばね
１３２Ａ    （ばねの）一端
１３２Ｂ    （ばねの）他端
１５１      端部
１５２      根元
【図１】
0003136857.tif 000003
【図２】
0003136857.tif 000004
【図３】
0003136857.tif 000005
【図４】
0003136857.tif 000006
【図５】
0003136857.tif 000007
【図６】
0003136857.tif 000008